(57)【特許請求の範囲】
【請求項１】
椅子本体に固着される本体金具（７）とヘッドレストに固着されるヘッドレスト取付金具（１０）と、
第１下側リンク（１２）と第１上側リンク（１３）とを回転軸（２０）により前後方向に回転可能に連結した第１リンク（１４）と、第２下側リンク（１５）と第２上側リンク（１６）とを回転軸（２８）により前後方向に回転可能に連結した第２リンク（１７）を有し、
前記第２上側リンク（１６）を前記第１上側リンク（１３）の後側に配置して、前記第１上側リンク（１３）と前記第２下側リンク（１５）とを相互に交差させて、その交差部を回転軸（２９）により回転可能に連結し、
前記第１下側リンク（１２）の下端を前記本体金具（７）に回転軸（１８）により前後方向に回転可能に連結し、前記第２下側リンク（１５）の下端を、前記第１上側リンク（１３）の前側において本体金具（７）に回転軸（２６）により前後方向に回転可能に連結し、
前記第１上側リンク（１３）の上端と、前記第２上側リンク（１６）の上端を前記ヘッドレスト取付金具（１０）に回転軸（１９）、（２７）により前後方向に回転可能に連結して、
前記各リンクの作動により、前記ヘッドレスト取付金具（１０）が起立状態と倒伏状態に変化するようにし、
前記第１リンク（１４）の第１下側リンク（１２）と第１上側リンク（１３）とを、これらの連結部が前記ヘッドレスト取付金具（１０）の起立状態において、前側へ折曲するように設けたことを特徴とするヘッドレスト金具。
【請求項２】
前記ヘッドレスト取付金具（１０）が所定の起立状態よりも更に起立方向へ回動することを阻止する第１の回動阻止手段と、ヘッドレスト取付金具（１０）が所定の倒伏状態よりも更に倒伏方向へ回動することを阻止する第２の回動阻止手段を設けたことを特徴とする請求項１記載のヘッドレスト金具。
【請求項３】
前記第１の回動阻止手段を、ヘッドレスト取付金具（１０）の起立状態において、前記第１リンク（１４）の前面が当接するストッパー（２１ａ）を本体金具（７）に設けて構成したことを特徴とする請求項２記載のヘッドレスト金具。
【請求項４】
前記第２の回動阻止手段を、ヘッドレスト取付金具（１０）の倒伏状態において、前記第２リンク（１７）の後面が当接するストッパー（２１ｂ）を本体金具（７）に設けて構成したことを特徴とする請求項２記載のヘッドレスト金具。
【請求項５】
前記第１下側リンク（１２）に、その起倒によって、その起立方向と倒伏方向の付勢力が反転するトグル機構を設けたことを特徴とする請求項１乃至４のいずれか１項に記載のヘッドレスト金具。
【発明の詳細な説明】
【技術分野】
【０００１】
本発明は、ヘッドレスト金具に関する。
【背景技術】
【０００２】
従来、背もたれが低いローバックスタイルのソファーにおいては、背もたれが視線をさえぎらず、部屋を広く見せられる長所を有する反面、背中、肩、頭をしっかりと支えられない短所があり、また、逆に背もたれが高いハイバックスタイルのソファーは、背中、肩、頭をしっかりと支えて、ゆったりとくつろぐことができる反面、部屋を狭く感じさせる短所を有する。
【０００３】
このような、ローバックとハイバックのスタイルを両立させる方法として、ヘッドレストを、使用時には起立させ、不使用時には倒伏させるヘッドレストが、例えば、特許文献１に開示されている。
【０００４】
該特許文献１の構成は、シートの後部に昇降可能なヘッドレストステーと、下端が前後方向に回動可能なリンクを備えるとともに、該ヘッドレストステーとリンクを昇降駆動するモータを備えて、該モータの回転駆動によりヘッドレストステーを昇降してヘッドレストを起倒する構成となっている。
【特許文献１】特開２００２−３６０３７３号公報
【発明の開示】
【発明が解決しようとする課題】
【０００５】
前記特許文献１の構成においては、モータが必要で比較的高価になる上に電源を必要とする問題がある。
【０００６】
そこで本発明は、ヘッドレストを、モータを使用することなく、人手によって容易に起倒でき、かつ、そのヘッドレストの使用形態において不用意に起倒しないヘッドレスト金具を提供することを目的とするものである。
【課題を解決するための手段】
【０００７】
前記の課題を解決するために請求項１記載の発明は、椅子本体に固着される本体金具（７）とヘッドレストに固着されるヘッドレスト取付金具（１０）と、
第１下側リンク（１２）と第１上側リンク（１３）とを回転軸（２０）により前後方向に回転可能に連結した第１リンク（１４）と、第２下側リンク（１５）と第２上側リンク（１６）とを回転軸（２８）により前後方向に回転可能に連結した第２リンク（１７）を有し、
前記第２上側リンク（１６）を前記第１上側リンク（１３）の後側に配置して、前記第１上側リンク（１３）と前記第２下側リンク（１５）とを相互に交差させて、その交差部を回転軸（２９）により回転可能に連結し、
前記第１下側リンク（１２）の下端を前記本体金具（７）に回転軸（１８）により前後方向に回転可能に連結し、前記第２下側リンク（１５）の下端を、前記第１上側リンク（１３）の前側において本体金具（７）に回転軸（２６）により前後方向に回転可能に連結し、
前記第１上側リンク（１３）の上端と、前記第２上側リンク（１６）の上端を前記ヘッドレスト取付金具（１０）に回転軸（１９）、（２７）により前後方向に回転可能に連結して、
前記各リンクの作動により、前記ヘッドレスト取付金具（１０）が起立状態と倒伏状態に変化するようにし、
前記第１リンク（１４）の第１下側リンク（１２）と第１上側リンク（１３）とを、これらの連結部が前記ヘッドレスト取付金具（１０）の起立状態において、前側へ折曲するように設けたことを特徴とするものである。
【０００８】
本発明において、起立状態のヘッドレスト取付金具（１０）の下部に前方への力が作用すると、第２上側リンク（１６）が後側下方へ押され、第２下側リンク（１５）が回転軸（２６）を中心として後側下方へ回動し、該第２下側リンク（１５）に交差状態で連結させた第１上側リンク（１３）を後側下方へ押し移動させる。これにより、第１上側リンク（１３）と第１下側リンク（１２）が回転軸（２０）において、後方へ折曲され、ヘッドレスト取付金具（１０）は、下降するとともに略水平状態に倒伏する。
【０００９】
また、このヘッドレスト取付金具（１０）を倒伏状態から起立させるには、前記と逆の動作により起立させることができる。
【００１０】
したがって、本体金具（７）を椅子本体に固着し、ヘッドレスト取付金具（１０）をヘッドレストに固着することにより、手操作でヘッドレストを起倒できる。
本発明においては、ヘッドレスト取付金具（１０）の起立状態において、第１上側リンク（１３）と第１下側リンク（１２）の回転軸（２０）部が前側へ折曲しているため、該両リンク（１３）（１２）が後側へ折曲するためには、ヘッドレスト等の重力に抗して両リンク（１３）（１２）が一直線上に位置するように伸びる必要がある。そのため、この折曲部が、ヘッドレスト金具（１０）の起立状態の保持に有効に作用する。
【００１１】
請求項２記載の発明は、請求項１記載の発明において、ヘッドレスト取付金具（１０）が所定の起立状態よりも更に起立方向へ回動することを阻止する第１の回動阻止手段と、ヘッドレスト取付金具（１０）が所定の倒伏状態よりも更に倒伏方向へ回動することを阻止する第２の回動阻止手段を設けたことを特徴とするものである。
【００１２】
請求項３記載の発明は、請求項２記載の発明において、前記第１の回動阻止手段を、ヘッドレスト取付金具（１０）の起立状態において、前記第１リンク（１４）の前面が当接するストッパー（２１ａ）を本体金具（７）に設けて構成したことを特徴とするものである。
【００１３】
請求項４記載の発明は、請求項２記載の発明において、前記第２の回動阻止手段を、ヘッドレスト取付金具（１０）の倒伏状態において、前記第２リンク（１７）の後面が当接するストッパー（２１ｂ）を本体金具（７）に設けて構成したことを特徴とするものである。
【００１６】
請求項５記載の発明は、請求項１乃至４のいずれか１項に記載の発明において、前記第１下側リンク（１２）に、その起倒によって、その起立方向と倒伏方向の付勢力が反転するトグル機構を設けたことを特徴とするものである。
【００１７】
本発明においては、第１下側リンク（１２）の起立状態の保持力と倒伏状態の保持力をトグル機構により増すことができる。
【発明の効果】
【００１８】
本発明によれば、リンク機構により、ヘッドレストを手操作で起倒でき、従来のモータにより駆動するものに比べて、起倒機構を安価に形成でき、かつ、電源が不要である。
【００１９】
更に、ヘッドレスト取付金具を起立状態から倒伏させるためには、起立したヘッドレストの下部を前側上方へ引く操作で行う。この操作は、椅子の使用中には通常行われないため、使用中にヘッドレストが不用意に起倒することを防止できる。
更に、ヘッドレストの起立状態の保持を高めることができる。
【００２０】
請求項２乃至４の発明によれば、ヘッドレスト金具に、ヘッドレスト取付金具の所定の起立位置及び倒伏位置を精度よく定めることができる手段を備えることができる。
【００２２】
請求項５記載の発明によれば、更に、ヘッドレストの起立状態と倒伏状態の保持を高めることができる。
【発明を実施するための最良の形態】
【００２３】
本発明を実施するための最良の形態を図に示す実施例に基づいて説明する。
本発明は椅子のヘッドレストに適用できるものであるが、実施例では、ソファーのヘッドレストに適用した例を示す。
【００２４】
図１は本発明を適用した椅子（以下、ソファーという）を示すもので、該ソファー１は、座部２と、背部３と、ヘッドレスト４を有する。なお、座部２と背部３を椅子本体５とする。そして、ヘッドレスト４は後述するヘッドレスト金具６により背部３の上部に設けられている。
【００２５】
次に、前記ヘッドレスト金具６について図２乃至図４により詳述する。
ヘッドレスト金具６における下部側に設けられた本体金具７は、金属製の平板で形成され、これを垂直姿勢にして、ソファー１における背部３内に固定された内部枠体８に、取付穴７ａを通じてボルト等により固定できるようになっている。
【００２６】
ヘッドレスト金具６における上部側に設けられたヘッドレスト取付金具１０は、横断面Ｌ字形の金属板で形成され、ヘッドレスト取付片１０ａとリンク取付片１０ｂを一体形成している。そして、そのヘッドレスト取付片１０ａは、前記ソファー１におけるヘッドレスト４内の芯材１１に取付穴１０ｃを通じてボルト等により固定できるようになっている。
【００２７】
なお、前記ヘッドレスト４の起立使用姿勢は、図３のように、ヘッドレスト４の上部が若干後傾する略垂直姿勢に設定されており、以下、この姿勢を起立状態とする。
【００２８】
前記本体金具７とヘッドレスト取付金具１０とは、第１下側リンク１２と第１上側リンク１３とからなる第１リンク１４で連結され、更に第２下側リンク１５と第２上側リンク１６とからなる第２リンク１７で連結されている。
【００２９】
また、第１リンク１４は、第２リンク１７よりも長く形成されている。
以下、図３の実線で示すように、ヘッドレスト４を起立させた状態で両リンク１４、１７等の構成を説明する。
【００３０】
前記第１リンク１４は、その第１下側リンク１２を第１上側リンク１３より短くして形成され、その第１下側リンク１２の一端部（下端部）は、第１の回転軸１８により、前記本体金具７の下部において、前後方向に回転可能に取付けられている。なお、前側とは、ソファー１の前側となる側で、図３のＡで示す側をいう。また、後側とは、ソファー１の後側となる側で、図３のＢで示す側をいう。
【００３１】
前記第１上側リンク１３の一端部（上端部）は、第２の回転軸１９により、前記ヘッドレスト取付金具１０におけるリンク取付片１０ｂに前後方向に回転可能に取付けられており、図３に示すように、ヘッドレスト取付金具１０が起立姿勢のときに、第２の回転軸１９がヘッドレスト取付金具１０（リンク取付片１０ｂ）の下部に位置するようになっている。
【００３２】
更に、第１上側リンク１３は、その主体部１３ａを直線状に形成し、該直線部の主体部１３ａの上部に前側へ屈曲する屈曲部１３ｂを一体に設けて形成されており、その屈曲部１３ｂにより、ヘッドレスト取付金具１０を後側より支持するようになっている。
【００３３】
前記第１下側リンク１２の他端部（上端部）と前記第１上側リンク１３の他端部（下端部）は第３の回転軸２０により前後方向に回転可能に連結されている。
【００３４】
そして、図３に示すように、第１下側リンク１２と第１上側リンク１３が共に略垂直状態で第１リンク１４が起立した場合、すなわち、ヘッドレスト取付金具１０が起立状態になった場合に、前記第３の回転軸２０より上部における第１上側リンク１３の前端面が、本体金具７の側面に突設したストッパー２１における第１のストッパー２１ａの後面に当接するようになっている。この第１のストッパー２１ａは、ヘッドレスト金具１０が所定の起立状態よりも更に起立方向へ回動することを阻止する第１の回動阻止手段を構成している。
【００３５】
なお、この第１のストッパー２１ａの当接時には、第１上側リンク１３の主体部１３ａの軸芯と、第１下側リンク１２の軸芯が一直線上に、又は略一直線状に位置するように設定するものであるが、実施例においては、第１上側リンク１３の主体部１３ａの軸芯と第１下側リンク１２の軸芯とが、第３の回転軸２０が前側Ａへ突出するようにくの字状（図において逆くの字状）に折曲するように設定されている。
【００３６】
このくの字の折曲量はわずかであるため、図３において明示することが困難であるため、図４において、折曲量を実際よりは誇張し、模式的に明示した。この図４において、第１下側リンク１２の軸芯をＸとし、第１上側リンク１３の軸芯をＹとし、これらの相互の折曲角をθで示した。
【００３７】
そして、第１上側リンク１３の軸芯Ｙの下方への延長線が、第１下側リンク１２の第１の回転軸１８より前側Ａを通るように設定されている。
【００３８】
前記第１下側リンク１２は、付勢手段である引張り用のコイルバネ２２により、その第１の回転軸１８を中心として上部が前側Ａに回動するように付勢されている。すなわち、コイルバネ２２の一端を第１下側リンク１２に設けたピン２３に係止し、他端を、第１下側リンク１２の第１の回転軸１８よりも前側Ａにおいて本体金具７に設けた係止ピン２４に係止して、ヘッドレスト取付金具１０の起立状態において、第１下側リンク１２を、第１の回転軸１８を中心として常時前側Ａへ付勢している。
【００３９】
なお、このコイルバネ２２等は、後述するようにトグル機構を構成している。
次に、第２リンク１７について説明する。
【００４０】
前記第２リンク１７は、第２下側リンク１５と第２上側リンク１６とで構成されているとともに、その第２下側リンク１５を第２上側リンク１６より短くして形成され、その第２下側リンク１５の一端部（下端部）は、第４の回転軸２６により本体金具７の上方部において前後方向に回転可能に取付けられている。該第４の回転軸２６は、前記回転軸１８より上部で、かつ、第１上側リンク１３の前側に位置して設けられている。更に、第４の回転軸２６は、前記ストッパー２１の第２のストッパー２１ｂの上方で、かつ、前方に位置して設けられている。
【００４１】
更に、前記第２下側リンク１５は、その第４の回転軸２６から上部が後傾状態となる直線状の主体部１５ａと、該主体部１５ａの上部を下方側へ屈曲させた屈曲部１５ｂとからなる。
【００４２】
前記第２上側リンク１６の一端部（上端部）は、第５の回転軸２７により前記ヘッドレスト取付金具１０におけるリンク取付片１０ｂに回転可能に取付けられており、その第５の回転軸２７は、前記第２の回転軸１９よりも上側に位置して設定されている。
【００４３】
更に、第２上側リンク１６は、前記第１上側リンク１３の後方において上側リンク１３と略平行に配置され、その主体部１６ａを直線状に形成し、該直線部１６ａの上部に前側へ屈曲する屈曲部１６ｂを一体に設けて形成されており、その屈曲部１６ｂにより、ヘッドレスト取付金具１０を後側より支持するようになっている。
【００４４】
前記第２下側リンク１５の他端部（上端部）と前記第２上側リンク１６の他端部（下端部）は、第６の回転軸２８により前後方向に回転可能に連結されている。
【００４５】
更に、第２下側リンク１５の中間部と第１上側リンク１３の中間部が、図３に示すように、交差し、その交差部において、第２下側リンク１５と第１上側リンク１３とが第７の回転軸２９で前後方向に回転可能に連結されている。
【００４６】
前記ストッパー２１は、図３に示すように、側面形状が逆Ｌ字状に形成され、略垂直部側を前記第１のストッパー２１ａとし、水平部側を第２のストッパー２１ｂとし、前記第２下側リンク１５が、図３の鎖線で示すように、後方へ略水平に倒伏した状態時に第２のストッパー２１ｂ上に当接するように設定されている。この第２のストッパー２１ｂは、ヘッドレスト金具１０が所定の倒伏状態よりも更に倒伏方向へ回動することを阻止する第２の回動阻止手段を構成している。
【００４７】
上記の構成により、本体金具７、ヘッドレスト取付金具１０、第１リンク１４、第２リンク１７により、パンタグラフ状のリンク機構を構成している。
【００４８】
前記ヘッドレスト金具６は、図１に示すように、１個のヘッドレスト４の両側に設けられており、この２個のヘッドレスト金具６により、ヘッドレスト４を支持してヘッドレスト４を起倒できるようになっている。
【００４９】
次に、ヘッドレスト４の起倒操作について説明する。
図３の実線状態及び図４の模式図は、ヘッドレスト取付金具１０を起立したヘッドレスト４の使用状態を示す。
【００５０】
この図３の状態において、着席者の頭部によってヘッドレスト４に矢印Ｄ方向からの力が作用し、ヘッドレスト４が後側Ｂへ押圧されると、ヘッドレスト取付金具１０も後側へ押される。これにより、第１リンク１４における第１上側リンク１３の屈曲部１３ｂと、第２リンク１７における第２上側リンク１６の屈曲部１６ｂに後方への押力が作用し、第１リンク１４に、その下端の第１の回転軸１８を中心とする後方への回動力と、第２リンク１７に、その下端の第４の回転軸２６を中心とする後方へ回動力が作用する。
【００５１】
このとき、第１上側リンク１３の中間部は、第２下側リンク１５と第７の回転軸２９で連結されており、かつ、下端は、第１下側リンク１２と第３の回転軸２０で連結されているため、第１上側リンク１３には、第７の回転軸２９を中心として、図３において、反時計方向に回転しようとする力が作用する。
【００５２】
しかし、第７の回転軸２９よりも下側における第１上側リンク１３の前面が第１のストッパー２１ａに当接しているため、回転軸２９を中心とする第１上側リンク１３の反時計方向の回転が阻止される。
【００５３】
そのため、起立状態のヘッドレスト４に前記のＤ方向からの力が作用してもヘッドレスト４の起立状態が保持される。
【００５４】
なお、ストッパー２１ａは、第１下側リンク１２の前面に当接する位置に設けても良い。
【００５５】
また、前記のように、第１下側リンク１２と第１上側リンク１３を、第３の回転軸２０において、前側Ａに突のくの字状に連結したので、前記第１上側リンク１３の時計方向、すなわち、第１のストッパー２１ａから離間する方向への回転が抑制される。すなわち、両リンク１２、１３が後方へ折曲するためには、ヘッドレスト４等の重力に抗して一直線上に位置するように伸びる必要があるためである。
【００５６】
また、図３及び図４に矢印Ｆで示すように、ヘッドレスト４に対してその上方から力が作用した場合には、第１下側リンク１２に、その第２の回転軸１８を中心として前側Ａに回転する力が作用し、第１上側リンク１３と第１下側リンク１２の第３の回転軸２０部に、第１のストッパー２１ａの方向への移動力が作用する。したがって、ヘッドレスト４に対する上方からの押圧時においても、ヘッドレスト４の起立状態が保持される。
【００５７】
更に、付勢手段であるコイルバネ２２によって、前記の第３の回転軸２０を、第１のストッパー２１ａ側へ付勢し、回転軸２０が後方へ移動することを抑制するため、ヘッドレスト４の起立姿勢が一層確実に保持される。
【００５８】
次に、前記第１下側リンク１２と第１上側リンク１３との連結部を、前記とは逆に、後側が突のくの字状に連結した場合を図８に示す。該図８は、本発明と対比するためのものであり、公知のものではない。この図８の比較例において、部材の符号は、図４の部材と同一部材に同一符号を付した。
【００５９】
この図８に示すように、後側Ｂへくの字状に連結したものにおいては、第１上側リンク１３の軸芯Ｙの下方への延長線が、第１下側リンク１２の第１の回転軸１８より後側Ｂを通る。
【００６０】
そのため、起立状態のヘッドレスト４、すなわち、ヘッドレスト取付金具１０に前記のＦの方向から力が作用すると、第１下側リンク１２に、その第１の回転軸１８を中心として後側Ｂに回転する力が作用する。そのため、第１下側リンク１２が後側Ｂへ回転しつつ、第１上側リンク１３が下降する。この下降とともに、第２下側リンク１５が後側Ｂへ回転し、第２上側リンク１６も下降し、ヘッドレスト取付金具１０、すなわち、ヘッドレスト４が水平姿勢に倒伏する。
【００６１】
したがって、ヘッドレスト４の起立状態において、使用者が不用意にヘッドレスト４を触った場合に、ヘッドレスト４が倒伏する問題がある。
【００６２】
これに対し、前記本発明の実施例のように、ストッパー２１側へ突出するくの字状に連結したものにおいては、前記のような不用意にヘッドレスト４が倒伏する問題を解消できる。
【００６３】
次に、前記のような起立状態のヘッドレスト４を倒伏する場合について説明する。
図３において、使用者が手をヘッドレスト４の下部４ａに入れて、ヘッドレスト４の下部４ａを、前側Ａの方向（Ｇ方向）へ引き上げるように引くと、ヘッドレスト取付金具１０の下部にもＧ方向への力が作用する。
【００６４】
これにより、第１上側リンク１３が第７の回転軸２９を中心として、図３の時計方向に回転し、その下部が後方へ回転し、第１下側リンク１２との連結部が前記のくの字状から直線状に伸張し、更に、前記とは逆方向のくの字状に折曲し始める。
【００６５】
更に、ヘッドレスト４の下部を前側Ａへ引き上げることを続けると、ヘッドレスト取付金具１０に、第１上側リンク１３の上端の第２の回転軸１９を中心として、上部が後側Ｂ方向へ回転する力が作用する。これにより、ヘッドレスト取付金具１０の第５の回転軸２７が、第２の回転軸１９を中心として後方下部へ回動する。この回動により、第２上側リンク１６が後方下部へ押される。
【００６６】
これにより、第２上側リンク１６の第６の回転軸２８に下方への力が作用し、本体金具７に連結された第２下側リンク１５が、その下側の第４の回転軸２６を中心として後方下側へ回動する。
【００６７】
この回動により、第２下側リンク１５と第１上側リンク１３との連結部である第７の回転軸２９に後方下側への力が作用し、第１リンク１４に、本体金具７との連結部である第１の回転軸１８を中心とする後方下側への回動力が作用する。
【００６８】
その後、第２上側リンク１６が、更に、後方下側へ押し移動されると、第２下側リンク１５が、第４の回転軸２６を中心として後方下側へ回動し、これにより、第２下側リンク１５の第７の回転軸２９で連結された第１上側リンク１３が後方下側へ押され、第１上側リンク１３と第１下側リンク１２との連結部（第３の回転軸２０部）が、更にくの字状に折曲する。
【００６９】
更に、ヘッドレスト４の下部４ａにＧ方向のへの力が作用すると、第２上側リンク１６と第２下側リンク１５が、その連結部（第６の回転軸２８部）で折曲しながら、更に、後方下側へ回動する。
【００７０】
前記のように、第１下側リンク１２と第２下側リンク１５が下降して、図３の鎖線で示すように、略水平姿勢になると、ヘッドレスト取付金具１０も、図３の鎖線で示すように、下降して略水平姿勢に倒伏し、ヘッドレスト４が図７に示すように、背部３上に水平姿勢に倒伏する。
【００７１】
前記のように、ヘッドレスト取付金具１０が倒伏し、第２下側リンク１５が、図３に示すように倒伏すると、該第２下側リンク１５の下面が第２のストッパー２１ｂに当接し、第２下側リンク１５の、それ以上の下方への回動が阻止される。これにより、ヘッドレスト取付金具１０、すなわち、ヘッドレスト４の前記の下降位置と倒伏姿勢が保持される。
【００７２】
なお、ヘッドレスト取付金具１０を倒伏状態以上に下降しないようにする第２の回動阻止手段は、倒伏した前記第１下側リンク１２の下面に当接するストッパーを前記本体金具７に設けて構成してもよい。
【００７３】
更に、前記の倒伏姿勢時には、第１下側リンク１２は、図３の鎖線に示す姿勢となり、コイルバネ２２の一方の係止ピン２３が、第１の回転軸１８と他方の係止ピン２４を結ぶ死点より後側Ｂに位置し、このコイルバネ２２の付勢力により、前記倒伏姿勢の保持力が強くなり、ヘッドレスト４が不用意に起立方向へ動くことを阻止できる。すなわち、回転軸１８、２３及びコイルバネ２２により、起立方向の付勢力と倒伏方向の付勢力が反転するトグル機構を構成する。
【００７４】
次に、前記ヘッドレスト４の倒伏姿勢から起立させるには、図７に示す倒伏状態のヘッドレスト４の後部を手で上方前側へ引き起こすことにより、各リンクが前記と逆の動きをして、図３の実線位置に起き上り、その起立姿勢が前記と同様に保持される。  
【００７５】
以上のように、本発明のヘッドレスト金具６を前記のように椅子とヘッドレストに固着することにより、ヘッドレスト４の使用時には、これを図１、図５に示すように、背中、肩、頭をしっかりと支えるハイバックスタイルのソファーを構成でき、ヘッドレストの不使用時には、これを図１、図７に示すように倒伏させることにより、ローバックスタイルのソファーとし部屋を広く見せることができる。
【００７６】
なお、本発明は、ソファー以外の椅子にも適用でき、また、ヘッドレスト４は、図１に示すように２個設けても良く、また、１個設けてもよい。
【図面の簡単な説明】
【００７７】
【図１】本発明のヘッドレスト金具を使用した椅子（ソファー）を示すもので、一方のヘッドレストを起立し、他方のヘッドレストを倒伏した状態の前側斜視図。
【図２】本発明のヘッドレスト金具の斜視図。
【図３】本発明のヘッドレスト金具の側面図。
【図４】図３のヘッドレスト金具において、連結部の折曲角度を誇張して示した模式図。
【図５】図１の椅子（ソファー）の側面図。
【図６】図１の椅子（ソファー）の後側斜視図。
【図７】両ヘッドレストを共に倒伏した状態の側面図。
【図８】本発明を説明するための比較例を示すヘッドレスト金具の側面図。
【符号の説明】
【００７８】
１  椅子（ソファー）
４  ヘッドレスト
５  椅子本体
６  ヘッドレスト金具
７  本体金具
１０  ヘッドレスト取付金具
１２  第１下側リンク
１３  第１上側リンク
１４  第１リンク
１５  第２下側リンク
１６  第２上側リンク
１７  第２リンク
１８、１９、２０、２６〜２９  回転軸
２１ａ、２１ｂ  回動阻止手段
２２  トグル機構を構成するコイルバネ
【図１】
0005193529.tif 000002
【図２】
0005193529.tif 000003
【図３】
0005193529.tif 000004
【図４】
0005193529.tif 000005
【図５】
0005193529.tif 000006
【図６】
0005193529.tif 000007
【図７】
0005193529.tif 000008
【図８】
0005193529.tif 000009